(57)【要約】【課題】燃料噴射弁内を流れる燃料中に従来よりもさらに多くのキャビテーション気泡を生成することが可能な燃料噴射弁を提供する。【解決手段】バルブボディ２とニードル３との間に形成される燃料流路１０を経由し、燃料流路１０にて発生したキャビテーション気泡を含んだ燃料を噴孔４から噴射する燃料噴射弁１において、バルブボディ２の壁面２ｂには、燃料中にキャビテーション気泡を発生させるべく燃料流路１０の流路断面積が前後と比較して減少するキャビテーション生成通路１１が形成されるように燃料流路１０内に突出する凸部２０が設けられ、凸部２０は、キャビテーション生成通路１１の入口部よりも下流においてキャビテーション生成通路１１の流路断面積が拡がるようにキャビテーション生成通路１１の燃料流れに沿って設けられる凸部２０の側面２２を壁面２ｂに達しない範囲で後退させた後退部２３を備えている。【選択図】図３
2008121578.tif 000002
【特許請求の範囲】
【請求項１】
バルブボディと前記バルブボディ内に往復動自在に設けられたニードル部との間に形成される燃料流路を経由し、前記燃料流路にて発生したキャビテーション気泡を含んだ燃料を前記バルブボディの先端に設けられた噴孔から噴射する内燃機関の燃料噴射弁において、
前記燃料流路を形成する前記バルブボディの壁面及び前記ニードル部の壁面の少なくともいずれか一方の壁面には、前記燃料流路を流れる燃料中にキャビテーション気泡を発生させるべく前記燃料流路の流路断面積が燃料の流れ方向の前後と比較して減少するキャビテーション生成通路が形成されるように前記燃料流路内に突出する凸部が設けられ、
前記凸部は、前記キャビテーション生成通路の入口部よりも下流において前記キャビテーション生成通路の流路断面積が拡がるように前記キャビテーション生成通路の燃料流れに沿って設けられる前記凸部の側面を前記凸部が設けられた壁面に達しない範囲で後退させた後退部を備えていることを特徴とする燃料噴射弁。
【請求項２】
前記凸部の前記キャビテーション生成通路の燃料流れに沿って設けられる側面は、前記キャビテーション生成通路の入口部から前記凸部が設けられた壁面側に漸次後退していることを特徴とする請求項１に記載の燃料噴射弁。
【請求項３】
前記凸部は、前記キャビテーション生成通路の出口部を形成する端部から前記燃料流路の燃料流れ上流側に向かって漸次後退しつつ前記凸部が設けられた壁面に後退していることを特徴とする請求項１又は２に記載の燃料噴射弁。
【請求項４】
前記キャビテーション生成通路の入口部を形成する前記凸部の端部には、前記燃料噴射弁の周方向に凹凸が形成されていることを特徴とする請求項１〜３のいずれか一項に記載の燃料噴射弁。
【請求項５】
前記凸部は、前記バルブボディの壁面及び前記ニードル部の壁面の両方の壁面にそれぞれ対向するように設けられることを特徴とする請求項１〜４のいずれか一項に記載の燃料噴射弁。
【請求項６】
前記キャビテーション生成通路の入口部の流路断面積は、前記燃料噴射弁の燃料噴射時に前記バルブボディのシート部と前記ニードル部との間に形成される流路断面積及び前記噴孔の流路断面積よりも小さく設定されることを特徴とする請求項１〜５のいずれか一項に記載の燃料噴射弁。
【請求項７】
前記燃料流路の前記キャビテーション生成通路の下流には、流路断面積が前記キャビテーション生成通路の流路断面積よりも広く、かつ前記キャビテーション生成通路にて発生したキャビテーション気泡と燃料とを混合するためのキャビテーション混合部が設けられていることを特徴とする請求項１〜６のいずれか一項に記載の燃料噴射弁。
【請求項８】
前記バルブボディの壁面及び前記ニードル部の壁面は、前記キャビテーション生成通路の出口部から前記キャビテーション混合部を経由して前記噴孔に至る燃料流路を形成する部分がそれぞれ滑らかに接続されていることを特徴とする請求項１〜７のいずれか一項に記載の燃料噴射弁。
【請求項９】
バルブボディと前記バルブボディ内に往復動自在に設けられたニードル部との間に形成される燃料流路を経由し、前記燃料流路にて発生したキャビテーション気泡を含んだ燃料を前記バルブボディの先端に設けられた噴孔から噴射する内燃機関の燃料噴射弁において、
前記燃料流路を形成する前記バルブボディの壁面及び前記ニードル部の壁面の少なくともいずれか一方の壁面には、前記燃料流路を流れる燃料中にキャビテーション気泡を発生させるべく前記燃料流路の流路断面積が燃料の流れ方向の前後と比較して減少するキャビテーション生成通路が形成されるように前記燃料流路内に突出する凸部が設けられ、
前記キャビテーション生成通路の入口部を形成する前記凸部の端部には、前記燃料噴射弁の周方向に凹凸が形成されていることを特徴とする燃料噴射弁。
【発明の詳細な説明】
【技術分野】
【０００１】
本発明は、内燃機関の吸気通路又は燃焼室内に燃料を噴射する燃料噴射弁に関する。
【背景技術】
【０００２】
燃料噴射弁から噴射された燃料の微粒化を促進させるため、燃料噴射弁内でキャビテーション現象を発生させて燃料噴射弁内を流れている燃料中に気泡を生成し、その気泡を含んだ燃料を噴孔から噴射する燃料噴射弁が知られている。例えば、燃料噴射弁内を流れる燃料にキャビテーション気泡を発生させるためのキャビテーション発生流路と、そのキャビテーション発生流路及び噴孔と連通し、燃料中に発生したキャビテーション気泡を保持する気泡保持流路とを備え、気泡保持流路の断面積がキャビテーション発生流路の断面積よりも大きく設定された燃料噴射弁が知られている（特許文献１参照）。その他、本発明に関連する先行技術文献として特許文献２〜４が存在する。
【０００３】
【特許文献１】特開２００６−１７７１７４号公報
【特許文献２】特開２００５−１４００５５号公報
【特許文献３】特開２００５−１１３８８９号公報
【特許文献４】特開２００４−３１６５９８号公報
【発明の開示】
【発明が解決しようとする課題】
【０００４】
燃料中にキャビテーション気泡を発生させる方法としては、燃料噴射弁内の燃料流路に流路断面積の狭い部分とその下流に設ける流路断面積の広い部分とを設け、流路断面積の狭い部分から流出する燃料と流路断面積の広い部分に滞留している燃料との速度差によって生じる剪断力によりキャビテーション発生流路の出口部にてキャビテーション気泡を発生させる方法がある。また、燃料噴射弁内の燃料流路に流路断面積の狭い部分を設け、燃料がこの部分を流れる際にこの部分の入口部と出口部とに生じる圧力差によってこの流路断面積の狭い部分の入口部においてキャビテーション気泡を発生させる方法がある。特許文献１の燃料噴射弁においては、弁内の燃料流路内に凸部を突出させて流路断面積の狭いキャビテーション発生流路を形成し、このキャビテーション発生流路を流れる燃料の流速を速めてキャビテーション発生流路の出口における燃料間の速度差を大きくするべく凸部の上流側角部に曲面いわゆるＲを形成したり、燃料流れに沿って流路断面積が漸次狭くなるようにテーパ状の凸部を設け、これによりキャビテーション気泡の発生量を増加させている。しかしながら、これらはキャビテーション発生流路の出口部におけるキャビテーション気泡の発生を促進させるものであり、キャビテーション発生流路の入口部におけるキャビテーション気泡の発生の促進については考慮されていない。
【０００５】
そこで、本発明は、燃料噴射弁内を流れる燃料中に従来よりもさらに多くのキャビテーション気泡を生成することが可能な燃料噴射弁を提供することを目的とする。
【課題を解決するための手段】
【０００６】
本発明の燃料噴射弁は、バルブボディと前記バルブボディ内に往復動自在に設けられたニードル部との間に形成される燃料流路を経由し、前記燃料流路にて発生したキャビテーション気泡を含んだ燃料を前記バルブボディの先端に設けられた噴孔から噴射する内燃機関の燃料噴射弁において、前記燃料流路を形成する前記バルブボディの壁面及び前記ニードル部の壁面の少なくともいずれか一方の壁面には、前記燃料流路を流れる燃料中にキャビテーション気泡を発生させるべく前記燃料流路の流路断面積が燃料の流れ方向の前後と比較して減少するキャビテーション生成通路が形成されるように前記燃料流路内に突出する凸部が設けられ、前記凸部は、前記キャビテーション生成通路の入口部よりも下流において前記キャビテーション生成通路の流路断面積が拡がるように前記キャビテーション生成通路の燃料流れに沿って設けられる前記凸部の側面を前記凸部が設けられた壁面に達しない範囲で後退させた後退部を備えていることにより、上述した課題を解決する（請求項１）。
【０００７】
本発明の燃料噴射弁によれば、凸部をキャビテーション生成通路の入口部の下流において後退させて後退部を設け、その部分のキャビテーション生成通路の流路断面積を拡げたので、その部分において燃料流れに剥離を生じさせ、燃料流れに速度差を生じさせることができる。そのため、キャビテーション生成通路の入口部と出口部とに生じる圧力差及びこの剥離によって燃料流れにキャビテーション現象を生じさせ、燃料中にキャビテーション気泡をより多く生成することができる。また、凸部は、凸部が設けられた壁面に達しない範囲で後退しているため、キャビテーション生成通路の出口部においては燃料流れに速度差を生じさせ、剪断力によってキャビテーション気泡を発生させることができる。このように、本発明の燃料噴射弁によれば、燃料流れの剥離によってもキャビテーション気泡が生成されるので、従来よりもさらに多くのキャビテーション気泡を燃料中に生成することができる。
【０００８】
本発明の燃料噴射弁の一形態において、前記凸部の前記キャビテーション生成通路の燃料流れに沿って設けられる側面は、前記キャビテーション生成通路の入口部から前記凸部が設けられた壁面側に漸次後退していてもよい（請求項２）。このように凸部を入口部から漸次後退させることにより、キャビテーション生成通路の入口部において燃料流れに剥離を生じさせて燃料中にキャビテーション気泡を生じさせることができる。
【０００９】
本発明の燃料噴射弁の一形態において、前記凸部は、前記キャビテーション生成通路の出口部を形成する端部から前記燃料流路の燃料流れ上流側に向かって漸次後退しつつ前記凸部が設けられた壁面に後退していてもよい（請求項３）。このように凸部を燃料流れ上流側に向かって後退させることにより、その部分に燃料を滞留させることができる。そのため、その部分に滞留している燃料とキャビテーション生成通路の出口部から流出した燃料との間に速度差を生じさせ、剪断力によって燃料中にキャビテーション気泡を生じさせることができる。
【００１０】
本発明の燃料噴射弁の一形態において、前記キャビテーション生成通路の入口部を形成する前記凸部の端部には、前記燃料噴射弁の周方向に凹凸が形成されていてもよい（請求項４）。キャビテーション生成通路の入口部においてキャビテーション気泡は、その入口部を形成する凸部の端部から発生する。この形態では、入口部を形成する凸部の端部に凹凸を形成したので、端部の長さを長くすることができる。そのため、燃料中にキャビテーション気泡をより多く発生させることができる。
【００１１】
本発明の燃料噴射弁の一形態において、前記凸部は、前記バルブボディの壁面及び前記ニードル部の壁面の両方の壁面にそれぞれ対向するように設けられてもよい（請求項５）。この場合、バルブボディに設けた凸部及びニードル部に設けた凸部の両方においてキャビテーション気泡をそれぞれ生じさせることができる。そのため、燃料中にさらに多くのキャビテーション気泡を生じさせることができる。
【００１２】
本発明の燃料噴射弁の一形態において、前記キャビテーション生成通路の入口部の流路断面積は、前記燃料噴射弁の燃料噴射時に前記バルブボディのシート部と前記ニードル部との間に形成される流路断面積及び前記噴孔の流路断面積よりも小さく設定されてもよい（請求項６）。このように流路断面積を設定することにより、キャビテーション生成通路の入口部において燃料の流速を速め、より確実に燃料流れの剥離を生じさせることができる。
【００１３】
本発明の燃料噴射弁の一形態において、前記燃料流路の前記キャビテーション生成通路の下流には、流路断面積が前記キャビテーション生成通路の流路断面積よりも広く、かつ前記キャビテーション生成通路にて発生したキャビテーション気泡と燃料とを混合するためのキャビテーション混合部が設けられていてもよい（請求項７）。この場合、キャビテーション混合部において燃料とキャビテーション気泡とが混合されるので、燃料中にキャビテーション気泡を分散させることができる。これにより燃料中にキャビテーション気泡が偏って含まれることを抑制できる。
【００１４】
本発明の燃料噴射弁の一形態において、前記バルブボディの壁面及び前記ニードル部の壁面は、前記キャビテーション生成通路の出口部から前記キャビテーション混合部を経由して前記噴孔に至る燃料流路を形成する部分がそれぞれ滑らかに接続されていてもよい（請求項８）。キャビテーション気泡を含む燃料が燃料噴射弁内においてバルブボディなどの壁面と衝突すると、その衝突によってキャビテーション気泡が消えるおそれがある。この形態では、キャビテーション生成通路の出口部から噴孔に至る部分の壁面が滑らかに接続されているため、衝突によるキャビテーション気泡の消滅を抑制できる。そのため、キャビテーション気泡を含んだ燃料をより確実に噴孔から噴射させることができる。
【００１５】
本発明の他の燃料噴射弁は、バルブボディと前記バルブボディ内に往復動自在に設けられたニードル部との間に形成される燃料流路を経由し、前記燃料流路にて発生したキャビテーション気泡を含んだ燃料を前記バルブボディの先端に設けられた噴孔から噴射する内燃機関の燃料噴射弁において、前記燃料流路を形成する前記バルブボディの壁面及び前記ニードル部の壁面の少なくともいずれか一方の壁面には、前記燃料流路を流れる燃料中にキャビテーション気泡を発生させるべく前記燃料流路の流路断面積が燃料の流れ方向の前後と比較して減少するキャビテーション生成通路が形成されるように前記燃料流路内に突出する凸部が設けられ、前記キャビテーション生成通路の入口部を形成する前記凸部の端部には、前記燃料噴射弁の周方向に凹凸が形成されていることにより、上述した課題を解決する（請求項９）。
【００１６】
本発明の他の燃料噴射弁によれば、凸部の燃料流れ上流側の端部の長さを長くできる。上述したようにキャビテーション気泡は凸部の端部において発生するため、このように凸部の端部の長さを長くすることにより従来よりもさらに多くのキャビテーション気泡を発生させることができる。
【発明の効果】
【００１７】
以上に説明したように、本発明の燃料噴射弁によれば、キャビテーション生成通路の入口部にて発生するキャビテーション気泡を増加させることができるので、従来よりもさらに多くのキャビテーション気泡を燃料中に発生させることができる。
【発明を実施するための最良の形態】
【００１８】
（第１の形態）
図１及び図２を参照して本発明の第１の形態に係る燃料噴射弁を説明する。なお、図１は図２のI−I線における燃料噴射弁１の断面図を、図２は図１のII−II線における燃料噴射弁１の断面図をそれぞれ示している。また、図１では燃料噴射弁の先端部分を拡大して示している。図１の燃料噴射弁１は、内燃機関の吸気通路や燃焼室に設けられ、これらの内部に燃料を噴射する周知のものである。燃料噴射弁１は、バルブボディ２と、バルブボディ２の内部に図１の上下方向に往復動自在に設けられるニードル３とを備えている。なお、図１に示した部分よりも上部の構造は周知の燃料噴射弁と同様でよいため、説明を省略する。ニードル３は、不図示のバネによってバルブボディ２のシート部２ａと接触するように付勢されており、ニードル３がシート部２ａと接触している場合はその接触部分よりも先端側（図１の下側）への燃料の流出が阻止される。一方、ニードル３が不図示の電磁石にて図１の上方向に駆動されると図１に示したようにニードル３がシート部２ａと離間し、その離間した部分を介して燃料が燃料噴射弁１の先端側に送られる。この燃料は、その後バルブボディ２とニードル３との間に形成された燃料流路１０を経由してバルブボディ２の先端に設けられた複数の噴孔４から外部に噴射される。
【００１９】
図１に示したようにバルブボディ２の内壁２ｂには、燃料流路１０内に突出する凸部２０が設けられている。図２に示したように凸部２０は、バルブボディ２の内部に全周に亘って設けられる。この凸部２０によって凸部２０が設けられている部分の燃料流路１０の流路断面積をその部分の前後と比較して減少させることができる。以降、燃料流路１０のうち凸部２０にて流路断面積が減少している部分をキャビテーション生成通路１１と称する。なお、凸部２０は、キャビテーション生成通路１１の入口部の流路断面積がバルブボディ２のシート部２ａとニードル３とが離間したときにそれらの間に形成される流路断面積及び各噴孔４の合計流路断面積よりも小さくなるように設けられる。また、キャビテーション生成通路１１の下流にてキャビテーション生成通路１１よりも流路断面積が広くなっている部分をキャビテーション混合部１２と称する。バルブボディ２の内壁２ｂ及びニードル３の外壁３ａは、キャビテーション生成通路１１の出口からキャビテーション混合部１２を経由して噴孔に至る燃料流路１０を形成する部分がそれぞれ滑らかに接続されている。言い換えると、これらの部分の壁面は、スムーズな流線で結ばれた形状に形成されている。
【００２０】
図３は、図１において線で囲んだ部分Ａを拡大して示している。図３に示したように凸部２０の上流側端面２１は、燃料流路１０内の燃料流れと対向するように形成される。凸部２０の側面２２は、上流側端面２１の端部２１ａからバルブボディ２の内壁２ｂ側に内壁２ｂに達しない範囲で漸次後退し、その後ニードル３の外壁３ａとほぼ平行に形成されている。側面２２がこのように形成されることにより、凸部２０には後退部２３が設けられる。なお、側面２２が上流側端面２１の端部２１ａから後退する角度αは、例えば９０°以内に設定される。凸部２０の下流側端面２４は、燃料流路１０の内側から外側に向かって燃料流れの上流側（図３の上側）に向かって後退するように形成される。下流側端面２４が後退する角度βは、例えば９０°以内に設定される。
【００２１】
図４は、燃料噴射弁１内における燃料の流れ状態の一例を示している。ニードル３が上方に駆動されてニードル３とシート部２ａとが離間すると、その隙間を通って燃料流路１０に燃料が流入する。この燃料がキャビテーション生成通路１１に流入すると燃料にキャビテーション現象が発生し、燃料中にキャビテーション気泡が発生する。より詳しく説明すると、上述したように凸部２０の側面２２は端部２１ａから角度αで後退しているため、この端部２１ａにおいて燃料流れが側面２２から剥離する。この剥離によりキャビテーション現象を発生させることができるので、キャビテーション生成通路１１の入口部にて燃料中にキャビテーション気泡を発生させることができる。また、凸部２０の下流側端面２４を角度βで燃料流れの上流側に後退させたので、この部分に燃料を滞留させ、キャビテーション生成通路１１から出てくる燃料流れとこの滞留している燃料との間に速度差を生じさせ、剪断力によって燃料中にキャビテーション気泡を生じさせることができる。キャビテーション生成通路１１から流出した燃料は次にキャビテーション混合部１２に流入する。キャビテーション混合部１２においては、キャビテーション生成通路１１から流出した燃料によって渦を生成できるので、この渦によって燃料を攪拌し、キャビテーション気泡を燃料中に分散させることができる。その後、燃料は、噴孔４から外部に噴射される。
【００２２】
このように本発明の燃料噴射弁１によれば、凸部２０の後退部２３にて燃料流れに剥離を生じさせ、この剥離によって燃料中にキャビテーション気泡を発生させることができる。また、凸部２０の下流側端面２４を角度βで燃料流れの上流側に後退させたので、この後退させた部分に滞留している燃料とキャビテーション生成通路１１から流出した燃料との間に発生する剪断力によって燃料中にキャビテーション気泡を発生させることができる。さらにキャビテーション生成通路１１の出口からキャビテーション混合部１２を経由して噴孔４までの燃料流路１０の各壁面が滑らかに接続されているので、燃料中のキャビテーション気泡の消滅を抑制できる。そのため、噴孔４から噴射される燃料中に従来よりもさらに多くのキャビテーション気泡を含ませることができる。したがって、噴孔４から噴射された燃料の微粒化をさらに促進させることができる。
【００２３】
なお、凸部２０の形状は上述した形状に限定されない。例えば図５に示したように、凸部２０の側面２２を上流側端面２１の端部２１ａよりも下流にて角度αにてバルブボディ２の内壁２ａ側に後退させて凸部２０に後退部２３を設けてもよい。また、図６に示したように側面２２が凸部２０の途中において９０°の角度でバルブボディ２の内壁２ｂ側に内壁２ｂに達しない範囲で後退させて凸部２０の後退部２３を設けてもよい。これらの場合も後退部２３において燃料流れを剥離させることができるので、この剥離によって燃料中にキャビテーション気泡を生じさせることができる。
【００２４】
図７及び図８を参照して凸部２０のさらに他の形状を説明する。なお、図７及び図８は、図２に対応する図である。図７の凸部２０は、上流側端面２１の端部２１ａがニードル３側に向かって凹凸が生じるように形成される点が異なる。このように凸部２０を形成することにより、上流側端面２１の端部２１ａの長さを長くすることができる。図８では、上流側端面２１の端部２１ａの加工を粗くしてこの部分に凹凸を形成する点が異なる。この場合も上流側端面２１の端部２１ａの長さを長くすることができる。上述したようにキャビテーション生成通路１１の入口においては上流側端面２１の端部２１ａにおいてキャビテーション気泡が発生するため、このように上流側端面２１の端部２１ａに凹凸を設け、上流側端面２１の端部２１ａの長さを長くすることにより、燃料中にさらに多くのキャビテーション気泡を発生させることができる。
【００２５】
（第２の形態）
図９〜図１１を参照して本発明の第２の形態に係る燃料噴射弁を説明する。なお、図９〜図１１において図１〜図４と共通の部分には同一の符号を付して説明を省略する。図９に示したようにこの形態では、ニードル３に凸部３０が設けられる点が第１の形態と異なる。なお、この凸部３０の形状は、図３に拡大して示した第１の形態の凸部２０の形状と同様でよいため説明は省略する。このようにニードル３に凸部３０を設けて燃料流路１０にキャビテーション生成通路１１及びキャビテーション混合部１２をそれぞれ設けても、キャビテーション生成通路１１の入口及び出口においてそれぞれ燃料中にキャビテーション気泡を発生させることができるので、従来よりもさらに多くのキャビテーション気泡を燃料中に生成できる。
【００２６】
図１０及び図１１は、第１の形態の図７及び図８にそれぞれ対応する図である。このように凸部３０の上流側端面３１の端部３１ａに凹凸を設けることにより、端部３１ａの長さを長くできるので、燃料中にさらに多くのキャビテーション気泡を発生させることができる。
【００２７】
（第３の形態）
図１２〜図１５を参照して本発明の第３の形態に係る燃料噴射弁を説明する。なお、図１２〜図１５において図１〜図１１と共通の部分には同一の符号を付して説明を省略する。図１２に示したようにこの形態では、ノズルボディ２及びニードル３の両方に互いに対向するように凸部２０、３０が設けられる点が上述した形態と異なる。なお、各凸部２０、３０の形状は、図３に拡大して示した凸部２０の形状とそれぞれ同様でよい。この形態の場合は、図１３に示したように各凸部２０、３０の上流側端面２１、３１の端部２１ａ、３１ａにおいて燃料中にキャビテーション気泡を発生させることができるので、さらに多くのキャビテーション気泡を燃料中に生成できる。
【００２８】
図１４及び図１５は、第１の形態の図７及び図８にそれぞれ対応する図である。図１４及び図１５に示したようにノズルボディ２及びニードル３の両方に凸部２０、３０が設けられる場合は、ニードル３が駆動される際にこれらの凸部２０、３０が互いに干渉しないように、各凸部２０、３０の上流側端面２１、３１の端部２１ａ、３１ａに凹凸がそれぞれ設けられる。このように各端部２１ａ、３１ａにそれぞれ凹凸を設け、各端部２１ａ、３１ａの長さをそれぞれ長くすることにより、燃料中にさらに多くのキャビテーション気泡を発生させることができる。
【００２９】
本発明は、上述した各形態に限定されることなく、種々の形態にて実施することができる。例えば、上述した各形態では、ニードルが燃料噴射弁の内側に駆動される内開弁を示したが、本発明の燃料噴射弁はニードルが燃料噴射弁の外側に駆動される外開弁であってもよい。
【００３０】
図７、図８、図１０、図１１、図１４及び図１５に示したように燃料噴射弁の周方向に凹凸が設けられるように凸部が形成されている場合、その凸部の側面はその凸部と対向する壁面に対してほぼ並行に形成されていてもよい。このように凸部の側面が対向する壁面とほぼ並行に形成されていても、凸部の上流側端面の端部に凹凸を設けて端部の長さを長くすることができるので、燃料中に従来よりさらに多くのキャビテーション気泡を発生させることができる。
【図面の簡単な説明】
【００３１】
【図１】本発明の第１の形態に係る燃料噴射弁を示す図。
【図２】図１のII−II線における燃料噴射弁の断面を示す図。
【図３】図１の線で囲んだ部分を拡大して示す図。
【図４】図１の燃料噴射弁内における燃料の流れ状態の一例を示す図。
【図５】第１の形態の凸部の第１の変形例を示す図。
【図６】第１の形態の凸部の第２の変形例を示す図。
【図７】第１の形態の凸部の第３の変形例を示す図。
【図８】第１の形態の凸部の第４の変形例を示す図。
【図９】本発明の第２の形態に係る燃料噴射弁を示す図。
【図１０】第２の形態の凸部の変形例を示す図。
【図１１】第２の形態の凸部の他の変形例を示す図。
【図１２】本発明の第３の形態に係る燃料噴射弁を示す図。
【図１３】図１２の燃料噴射弁内における燃料の流れ状態の一例を示す図。
【図１４】第３の形態の凸部の変形例を示す図。
【図１５】第３の形態の凸部の他の変形例を示す図。
【符号の説明】
【００３２】
１  燃料噴射弁
２  バルブボディ
３  ニードル（ニードル部）
４  噴孔
１０  燃料流路
１１  キャビテーション生成通路
１２  キャビテーション混合部
２０、３０  凸部
２１ａ、３１ａ  端部
【図１】
2008121578.tif 000003
【図２】
2008121578.tif 000004
【図３】
2008121578.tif 000005
【図４】
2008121578.tif 000006
【図５】
2008121578.tif 000007
【図６】
2008121578.tif 000008
【図７】
2008121578.tif 000009
【図８】
2008121578.tif 000010
【図９】
2008121578.tif 000011
【図１０】
2008121578.tif 000012
【図１１】
2008121578.tif 000013
【図１２】
2008121578.tif 000014
【図１３】
2008121578.tif 000015
【図１４】
2008121578.tif 000016
【図１５】
2008121578.tif 000017